(57)【要約】  【課題】  複数の音声／画像ファイル形式を有するファイルが記録されている記録媒体から、２種以上の音声／画像ファイル形式夫々に係るファイル名をまとめた一覧メニューを生成する。  【解決手段】  複数のファイル及び該ファイルのファイル名が記録されている記録媒体から、前記複数のファイル及びファイル管理情報を読み出し、読み出したファイル管理情報から２種以上の音声／画像ファイル形式に係るファイル名夫々を特定し、特定したファイル名をまとめた一覧メニューを生成する生成手段と、生成手段が生成した一覧メニューをＯＳＤ表示する出力手段とを再生装置に備える。より好ましくは、音声ファイル形式に係るファイル名と、画像ファイル形式に係るファイル名とを区分けした一覧メニューを生成手段が生成するように構成する。【選択図】      図４
2005251340.tif 000002
【特許請求の範囲】
【請求項１】
複数の音声／画像ファイル形式のファイル及び該ファイルのファイル名が記録されている記録媒体から、前記ファイル名を読み出し、前記ファイル名の一覧メニューを生成する生成手段と、該生成手段が生成した一覧メニューのファイル名に係るファイルを再生する再生手段とを備える再生装置において、
前記生成手段は、
２種以上の前記音声／画像ファイル形式夫々に係るファイル名を有する一覧メニューを生成すべくなしてあることを特徴とする再生装置。
【請求項２】
前記生成手段は、
前記記録媒体の異なるフォルダに記録されている複数の音声／画像ファイル形式に係るファイル名を読み出し、前記一覧メニューを生成すべくなしてある請求項１に記載の再生装置。
【請求項３】
前記生成手段は、
異なるファイル形式毎に音声／画像ファイル形式に係るファイル名を区分けした一覧メニューを生成すべくなしてある請求項１又は請求項２に記載の再生装置。
【請求項４】
前記生成手段は、
音声及び画像ファイル形式夫々に係るファイル名を有する一覧メニューを生成する場合、音声ファイル形式に係るファイル名と、画像ファイル形式に係るファイル名とを区分けした一覧メニューを生成すべくなしてある請求項１又は請求項２に記載の再生装置。
【請求項５】
異なる音声／画像ファイル形式に係るファイル名夫々を色分けする手段を更に有する請求項１乃至請求項４のいずれか一つに記載の再生装置。
【請求項６】
音声及び画像ファイル形式夫々に係るファイル名を有する一覧メニューで音声ファイル形式に係るファイル名の選択を受け付ける音声ファイル受付手段と、
音声及び画像ファイル形式夫々に係るファイル名を有する一覧メニューで画像ファイル形式に係るファイル名の選択を受け付ける画像ファイル受付手段と
を備え、
前記再生手段は、
前記音声ファイル受付手段が受け付けたファイル名に係るファイル、及び前記画像ファイル受付手段が受け付けたファイル名に係るファイル夫々を順次再生する手段を有する請求項１乃至請求項５のいずれか一つに記載の再生装置。
【発明の詳細な説明】
【技術分野】
【０００１】
本発明は再生装置に関し、特にＤＶＤ、ＣＤ−Ｒ等の記録媒体から、音声／画像ファイルのファイル名を読み出し、再生可能な音声ファイル及び画像ファイルの一覧メニューを生成し、一覧メニューに表示した音声／画像ファイルを再生することができる再生装置に関する。
【背景技術】
【０００２】
再生装置は、ＤＶＤ、ＣＤ−Ｒ等の記録媒体に記録されている音声ファイル及び画像ファイルを読み出し、再生する装置である。従来の再生装置は、記録媒体から再生可能な１の音声又は画像ファイル形式に係るファイル名を読み出し、ファイル名の一覧メニューを生成し、生成した一覧メニューをモニタ装置にＯＳＤ（Ｏｎ  Ｓｃｒｅｅｎ  ｄｉｓｐｌａｙ）表示すべく構成されていた（例えば、特許文献１、特許文献２）。再生可能なファイル形式としては、例えばＭＰ３、ＷＭＡ｛Ｗｉｎｄｏｗｓ（登録商標）  Ｍｅｄｉａ  Ａｕｄｉｏ｝、又はＪＰＥＧ等がある。なお、ＯＳＤ表示とは、例えば液晶ディスプレイであるモニタ装置に表示される画像の上に重ねて一覧メニュー又は操作メニュー等を表示することを意味する。
【０００３】
図８は、従来の再生装置においてＯＳＤ表示された一覧メニューの一例を示す模式図である。図８（ａ）は、特に再生可能な音声又は画像ファイルの一つとしてＭＰ３の音声ファイル形式を有するファイルが特定され、一覧メニューに表示された状態を示している。使用者は、一覧メニューに表示されたファイル名から、再生を所望するファイル名を選択し、再生の操作を行うことにより音声ファイルに係る音声、又は画像ファイルに係る画像を視聴することができる。
【０００４】
図８（ｂ）は、同一の記録媒体から、特にＷＭＡの音声ファイル形式を有するファイルが特定され、一覧メニューに表示された状態を示している。使用者が、一覧メニューに表示する音声ファイル形式として、ＷＭＡ形式を指定した場合、ＷＭＡの音声ファイル形式を有するファイルのファイル名が特定され一覧メニューに表示される。
【０００５】
画像ファイルを再生する場合においても、事情は同様である。つまり、画像ファイルを再生したい場合、画像ファイル形式を指定し、画像ファイルの一覧メニューを再表示し、一覧メニューの中から所望する画像ファイルを選択する。
【特許文献１】特開２００３−３３１５２６号公報
【特許文献２】特開２００２−３５８７２８号公報
【発明の開示】
【発明が解決しようとする課題】
【０００６】
ところが、図８（ａ）に示した一覧メニューには、同一の音声ファイル形式であるＭＰ３形式を有するファイルのファイル名のみが表示されており、他の音声ファイル形式、例えばＷＭＡ形式を有するファイルのファイル名は一覧メニューとして表示されていない。この場合において、ＷＭＡ形式の音声ファイルを再生したい場合、一覧メニューに表示したいファイル形式としてＷＭＡを選択し、一覧メニューの再表示を行わなければならない。
【０００７】
このように、異なる複数の音声ファイル形式が混在している記録媒体からファイルを読み出し、再生する場合、再生したいファイルの音声ファイル形式をその都度指定し、一覧メニューに表示させ、表示させた一覧メニューの中から再生したいファイル名を選択する必要があり、極めて煩わしい操作手順を要していた。
【０００８】
また、音声ファイルと画像ファイルとが混在している記録媒体から画像ファイルを再生、つまり画像を表示させたい場合も同様にして、画像ファイル形式を選択し、一覧メニューに表示させ、表示させた一覧メニューの中から表示したいファイル名を選択する必要があった。従って、画像ファイル及び音声ファイル夫々を再生したい場合、画像ファイルの一覧メニューを表示させ、再生したいファイル名を選択し、次いで音声ファイルの一覧メニューを表示させ、再生したいファイル名を選択する必要があり、極めて煩わしい操作手順を要していた。
【０００９】
更に、音声ファイル及び画像ファイル夫々はまとめて一覧メニューに表示されず、音声及び画像ファイルを順次再生することができないという問題があった。
【００１０】
本発明は、斯かる事情に鑑みてなされたものであり、異なる音声／画像ファイル形式、即ち音声及び／又は画像ファイルを有している音声／画像ファイルをまとめて一覧メニューに表示させることにより、音声／画像ファイルのファイル形式の異同を意識する必要がなく、一覧メニューに表示された音声／画像ファイルを選択し、再生することができる再生装置を提供することを目的とする。
【００１１】
また、記録媒体の異なるフォルダに記録されている複数の音声／画像ファイル形式に係るファイル名を読み出し、ファイル名の一覧を生成するように構成することにより、音声／画像ファイル形式のファイルが異なるフォルダに記録されている場合であっても、異なるフォルダに記録されている複数の音声／画像ファイル形式に係るファイル名の一覧を生成することができる再生装置を提供することを他の目的とする。
【００１２】
更に、音声／画像ファイル形式に係るファイル名夫々を区分けして一覧メニューに表示することにより、一つの一覧メニューから記録媒体に記録されている音声／画像ファイル形式に係るファイル名を認識し、再生することができる再生装置を提供することを他の目的とする。
【００１３】
更にまた、音声ファイル形式に係るファイル名と、画像ファイル形式に係るファイル名とを区分けして一覧メニューに表示することにより、ファイル形式同士の異同を意識せず、音声ファイルと画像ファイルとの違いのみを確認し、一つの一覧メニューから音声ファイル及び画像ファイル夫々を選択し、再生することができる再生装置を提供することを他の目的とする。
【００１４】
更にまた、異なる音声／画像ファイル形式に係るファイル名を色分けして一覧メニューに表示することにより、必要な場合、一覧メニューに表示されたファイル名の表示色によって音声／画像ファイル形式を確認することができる再生装置を提供することを他の目的とする。
【００１５】
更にまた、音声ファイル及び画像ファイル夫々をまとめて一覧メニューに表示した場合において、音声ファイルと画像ファイルとを順次再生することができる再生装置を提供することを他の目的とする。
【課題を解決するための手段】
【００１６】
本発明に係る再生装置は、複数の音声／画像ファイル形式のファイル及び該ファイルのファイル名が記録されている記録媒体から、前記ファイル名を読み出し、前記ファイル名の一覧メニューを生成する生成手段と、該生成手段が生成した一覧メニューのファイル名に係るファイルを再生する再生手段とを備える再生装置において、前記生成手段は、２種以上の前記音声／画像ファイル形式夫々に係るファイル名を有する一覧メニューを生成すべくなしてあることを特徴とする。
【００１７】
本発明にあっては、記録媒体に記録されている複数の音声／画像ファイル形式に係るファイル名が読み出され、２種以上の音声／画像ファイル形式に係るファイル名を有する一覧メニューが生成手段によって生成される。例えば、異なる２種以上の音声ファイル形式に係るファイル名はまとめて一覧メニューに表示される。画像ファイルについても同様である。従って、音声ファイル形式同士の異同、及び画像ファイル形式同士の異同を意識することなく、記録媒体に記録されている音声／画像ファイルを確認し、再生することができる。
【００１８】
本発明に係る再生装置において、前記生成手段は、前記記録媒体の異なるフォルダに記録されている複数の音声／画像ファイル形式に係るファイル名を読み出し、前記一覧メニューを生成すべくなしてあることを特徴とする。
【００１９】
本発明にあっては、複数の音声／画像ファイル形式に係るファイル名が記録媒体の異なるフォルダに分散して記録されている場合であっても、各フォルダに記録されているファイル名を読み出して、一覧を生成する。従って、複数の音声／画像ファイルの記録場所に関わらず、記録媒体に記録されている複数の音声／画像ファイル形式に係るファイル名の一覧を生成することができる。
【００２０】
本発明に係る再生装置において、前記生成手段は、異なるファイル形式毎に音声／画像ファイル形式に係るファイル名を区分けした一覧メニューを生成すべくなしてあることを特徴とする。
【００２１】
本発明にあっては、生成手段は、異なる音声／画像ファイル形式毎に音声／画像ファイル形式に係るファイル名を区分けした一覧メニューを生成する。従って、音声ファイル形式同士の異同、画像ファイル形式同士の異同、又は音声ファイル形式及び画像ファイル形式同士の異同をファイル名の区分けによって視覚的に認識することができる。また、ファイル名は、ファイル形式によって区分けされているが、一つの一覧メニューに表示されているため、記録媒体に記録されている音声／画像ファイル形式夫々に係るファイル名を、一つの一覧メニューから認識することができる。
【００２２】
本発明に係る再生装置において、前記生成手段は、音声及び画像ファイル形式夫々に係るファイル名を有する一覧メニューを生成する場合、音声ファイル形式に係るファイル名と、画像ファイル形式に係るファイル名とを区分けした一覧メニューを生成すべくなしてあることを特徴とする。
【００２３】
本発明にあっては、生成手段は、画像ファイル形式に係るファイル名と音声ファイル形式に係るファイル名とを区分けした一覧メニューを生成する。従って、音声ファイル形式同士の異同及び画像ファイル形式同士の異同を意識することなく、記録媒体に記録されている音声ファイルと画像ファイルとの異同のみを視覚的に識別することができる。
【００２４】
本発明に係る再生装置は、異なる音声／画像ファイル形式に係るファイル名夫々を色分けする手段を更に有することを特徴とする。
【００２５】
本発明にあっては、異なる音声／画像ファイル形式に係るファイル名がまとめて一覧メニューに表示されるが、異なる音声／画像ファイル形式に係るファイル名夫々は色分けされる。従って、音声／画像ファイルの視認性、及び再生に係る操作性を損なうことなく、ファイル名の色を確認することにより音声／画像ファイル形式の種類を確認することができる。
【００２６】
本発明に係る再生装置は、音声及び画像ファイル形式夫々に係るファイル名を有する一覧メニューで音声ファイル形式に係るファイル名の選択を受け付ける音声ファイル受付手段と、音声及び画像ファイル形式夫々に係るファイル名を有する一覧メニューで画像ファイル形式に係るファイル名の選択を受け付ける画像ファイル受付手段とを備え、前記再生手段は、前記音声ファイル受付手段が受け付けたファイル名に係るファイル、及び前記画像ファイル受付手段が受け付けたファイル名に係るファイル夫々を順次再生する手段を有することを特徴とする。
【００２７】
本発明にあっては、生成手段が音声及び画像ファイル形式夫々に係るファイル名を有する一覧メニューを生成する場合において、再生すべき音声ファイル形式に係るファイル名の選択を音声ファイル受付手段が受け付け、画像ファイル形式に係るファイル名の選択を画像ファイル受付手段が受け付ける。再生手段は、音声ファイル受付手段が受け付けたファイル名に係るファイルと、画像ファイル受付手段が受け付けたファイル名に係るファイルとを順次再生する。従って、画像ファイルを再生した後、続けて音声ファイルを再生することがきる。同様に、音声ファイルを再生し、音声ファイルの再生に続けて画像ファイルの再生を行うことができ、音声ファイルに係る音声と画像ファイルに係る画像とを同時に視聴することができる。
【発明の効果】
【００２８】
本発明にあっては、記録媒体に記録されている音声／画像ファイルが、音声／画像ファイル形式によらずまとめて一覧メニューに表示されるため、音声／画像ファイル形式の異同を意識することなく、記録媒体に記録されている音声／画像ファイルを確認し、再生することができる。
【００２９】
本発明にあっては、複数の音声／画像ファイルが異なるフォルダに記録されている場合であっても、夫々のフォルダに記録されている複数の音声／画像ファイル形式に係るファイル名の一覧を生成することができ、記録媒体に記録されている音声／画像ファイル形式のファイル名を一目で認識することができる。
【００３０】
本発明にあっては、記録媒体に記録されている音声／画像ファイル形式夫々が区分けされ、１つの一覧メニューに表示されるため、音声／画像ファイル形式の異同を区分けされたファイル名によって認識し、一つの一覧メニューから記録媒体に記録されている音声／画像ファイルを選択し、再生することができる。
【００３１】
本発明にあっては、記録媒体に記録されている音声ファイルと画像ファイルとが区分けされ一覧メニューに表示されるため、音声ファイル形式同士の異同、又は画像ファイル形式同士の異同を意識することなく、音声ファイルと画像ファイルとの異同のみを確認し、一覧メニューに表示された音声ファイルと画像ファイルとを選択し、再生することができる。
【００３２】
本発明にあっては、異なる音声／画像ファイル形式に係るファイル名は色分けされるため、音声／画像ファイル形式の種類を必要に応じて認識することができる。
【００３３】
本発明にあっては、音声ファイルと画像ファイルとを順次再生することができる。
【発明を実施するための最良の形態】
【００３４】
以下に、本発明をその実施の形態を示す図面に基づいて詳述する。
図１は、本発明に係る再生装置の構成を模式的に示すブロック図である。本発明に係る再生装置は、ＤＶＤ、ＣＤ−Ｒ等の記録媒体４から音声／画像ファイルを読み出す読出部２と、読み出した音声／画像ファイルを復調する復調回路１２と、復調した音声／画像ファイルを一時的に記憶するバッファメモリ１３と、バッファメモリ１３が記憶した音声ファイルを伸張するＭＰ３／ＷＭＡデコーダ１４と、伸張した音声ファイルのデジタルデータをアナログ信号に変換するＤ／Ａ変換部１５と、アナログデータに変換した音声データを出力する音声出力端子１６と、バッファメモリ１３が記憶した画像ファイル、特に静止画を伸張するＪＰＥＧデコーダ１７と、伸張した画像ファイルのデジタル信号を外付けのモニタ装置５に表示するためのデータ形式に変換する画像出力処理部１８と、画像出力処理部１８で処理した画像ファイルのデータを出力する画像出力端子１９と、再生装置の操作を受け付ける操作部３とを備えている。音声出力端子１６及び画像出力端子１９は、音声及び画像を再現するモニタ装置５、例えばスピーカー付き液晶ディスプレイに接続している。なお、記録媒体４及びモニタ装置５は再生装置を構成するものでは構成ではない。
【００３５】
また、再生装置は、操作部３、読出部２、復調回路１２、バッファメモリ１３、ＭＰ３／ＷＭＡデコーダ１４、ＪＰＥＧデコーダ１７、Ｄ／Ａ変換部１５、及び画像出力処理部１８を制御する制御部１を備えている。制御部１は、ＣＰＵと、ＣＰＵの命令を受け各種ハードを直接的に制御するシステムコントローラとを備え、ＣＰＵが実行するプログラムを記憶しているＲＯＭ１０と、一時記憶用のＲＡＭ１１とに接続している。
【００３６】
制御部１は、記録媒体４からファイル名及びファイル形式に係るデータを読出部２が読み出すように制御し、再生可能な２種以上の音声／画像ファイル形式夫々に係るファイル名を有する一覧メニューを生成し、画像出力処理部１８によってＯＳＤ表示出力する機能を有している。また、再生可能な音声ファイルに係るファイルと画像ファイルに係るファイルとを判定する機能を有している。更に、音声及び画像ファイル形式に係るファイル名を特定する機能を有している。更にまた、音声ファイルに係るファイル名と画像ファイルに係るファイル名とを区分けした一覧メニューを生成する機能を有している。更にまた、異なる音声／画像ファイル形式に係るファイル名夫々を色分けする機能を有している。少なくとも、ＭＰ３形式に係るファイル名を黒色、ＷＭＡ形式に係るファイル名を青色で色分けする機能を有している。
【００３７】
また、制御部１は、一覧メニューから音声ファイル形式に係るファイル名の選択を受け付けるためのカーソルと、画像ファイル形式に係るファイル名の選択を受け付けるためのカーソルとを一覧メニューに表示し、カーソルで選択された音声ファイル及び画像ファイルを特定する機能を有している。更に、制御部１は、特定した音声／画像ファイルに係るデータを読出部２が読み出し、読み出したデータを復調回路１２が復調し、復調したデータを一旦バッファメモリ１３に記憶させる機能を有している。更にまた、制御部１は、バッファメモリ１３に蓄積された音声に係るデータをＭＰ３／ＷＭＡデコーダ１４が伸張し、モニタ装置５で再現可能なアナログデータにＤ／Ａ変換部１５が変換するように制御する機能を有している。更にまた、制御部１は、バッファメモリ１３に蓄積された画像に係るデータをＪＰＥＧデコーダ１７が伸張し、画像出力処理部１８が、画像に係るデータをモニタ装置５で再現可能なデータ形式に変換するように制御する機能を有している。各機能は、ＲＯＭ１０が記憶しているプログラムをＣＰＵが実行し、制御部１が再生装置全体を制御することにより実現される。
【００３８】
次に、ＲＯＭ１０の記憶しているプログラムを、制御部１が備えるＣＰＵが実行した場合の動作を具体的に説明する。図２は、制御部１が行う制御手順を示したフローチャートである。再生装置が記録媒体４の再生を受け付けるための処理として、制御部１は、記録媒体４に記録されているファイル管理情報を、記録媒体４から読み出すように読出部２を制御する（ステップＳ１）。
【００３９】
図３は、記録媒体４に記録されているファイル、及びファイル管理情報を模式的に示す概念図である。図３左側に示すように、通常、ランダムアクセス可能な記録媒体４にはファイルの実体部分、例えばファイル１乃至ファイル４と、各ファイルの記録状態を管理し、ランダムアクセスを可能にするファイル管理情報とが記録されている。図３右側は、ファイル管理情報の詳細を模式的に示している。ファイル管理情報は、例えば、記録媒体４に記録されているファイル夫々について、ファイル名、ファイル形式、ファイルが記録されている先頭アドレスを示すポインタ等が記録されている。ステップＳ１においては、このファイル管理情報が読み出され、ＲＡＭ１１に書き込まれる。
【００４０】
ファイル管理情報の読み出しを終えた場合、読み出したファイル管理情報から、記録媒体４に記録されているファイルについて、再生可能な音声ファイル形式を有しているか否かを制御部１が判定する（ステップＳ２）。判定したファイルが再生可能な音声ファイル形式を有する場合（ステップＳ２：ＹＥＳ）、ファイル管理情報により、該ファイルのファイル名を音声ファイルとして制御部１が特定する（ステップＳ３）。ファイル名が特定された場合、続けて以下に説明するステップＳ６の処理が実行される。
【００４１】
ステップＳ２で判定したファイルが再生可能な音声ファイル形式を有していない場合（ステップＳ２：ＮＯ）、記録媒体４に記録されているファイルが再生可能な画像ファイル形式を有しているか否かを制御部１が判定する（ステップＳ４）。判定したファイルが再生可能な画像ファイル形式を有する場合（ステップＳ４：ＹＥＳ）、ファイル管理情報により、該ファイルのファイル名を画像ファイルとして制御部１が特定する（ステップＳ５）。
【００４２】
判定されたファイルが再生可能な画像ファイル形式を有していない場合（ステップＳ４：ＮＯ）、並びにステップＳ３及びステップＳ５の処理を終えた場合、次いで、記録媒体４に記録されているすべてのファイルについて、判定の処理を終えたか否かを制御部１が判定する（ステップＳ６）。すべてのファイルについて判定を終えていない場合（ステップＳ６：ＮＯ）、ステップＳ２の処理に戻り、判定を終えていない残りのファイルについて判定（ステップＳ２、ステップＳ４）及び特定（ステップＳ３、ステップＳ５）の処理を制御部１が行う。
【００４３】
すべてのファイルについて判定を終えた場合（ステップＳ６：ＹＥＳ）、音声ファイル形式に係るファイル名と、画像ファイル形式に係るファイル名とを区分けしたＯＳＤ表示用の一覧メニューを制御部１が生成する。例えば、図４に示すように、一覧メニューを左右に区分けし、音声ファイル形式に係るファイル名を一まとめにして左側の枠内に、画像ファイル形式に係るファイル名を一まとめにして右側の枠内に表示する一覧メニューを生成する。また、異なる音声ファイル形式夫々に係るファイル名は、色分けして一覧メニューに表示する。次いで、生成したＯＳＤ表示用の一覧メニューを画像出力処理部１８が処理し、ＯＳＤ表示用の一覧メニューを画像出力端子１９からモニタ装置５に出力してＯＳＤ表示するように、制御部１が制御する（ステップＳ７）。一覧メニューの出力を終えた場合、制御部１はステップＳ１乃至ステップＳ７に亘る初期制御を終える。
【００４４】
図４は、ＯＳＤ表示された一覧メニューの一例を示す模式図である。例えば図３に示すように、６つの音声ファイルと、３つの画像ファイルとが記録媒体４に記録されている場合において、再生装置が記録媒体４を再生するとき、図４に示したような一覧メニューがＯＳＤ表示される。２つに区分けされた一覧メニューの左側に６つの音声ファイルのファイル名、ｍｕｓｉｃ１乃至ｍｕｓｉｃ６が表示され、右側に３つの画像ファイルのファイル名、ｐｉｃｔｕｒｅ１乃至ｐｉｃｔｕｒｅ３が表示される。６つの音声ファイルの内、ｍｕｓｉｃ１、２、４は、ＷＭＡ形式の音声ファイルであり、青色の文字でファイル名が表示されている。ｍｕｓｉｃ３、５、６は、ＭＰ３形式の音声ファイルであり、黒色の文字でファイル名が表示されている。ｍｕｓｉｃ１乃至ｍｕｓｉｃ６は、一覧メニューの左側の枠内にまとめて表示されている。３つの画像ファイル、ｐｉｃｔｕｒｅ１、２、３は、ＪＰＥＧ形式の画像ファイル形式であり、一覧メニューの右側の枠内にまとめて表示されている。
【００４５】
図４（ａ）において、ｍｕｓｉｃ１に引かれている下線は、赤色で表示された音声ファイル選択用のカーソルであり、カーソルで選択されている音声ファイル形式に係るファイル名を操作部３を介して制御部１が受け付けている。この状態において、再生装置の使用者が操作部３を用いて再生の操作を行った場合、カーソルで選択されているｍｕｓｉｃ１の再生が行われる。また、ｐｉｃｔｕｒｅ１に引かれている破線は、画像ファイル選択用のカーソルであり、カーソルで選択されている画像ファイル形式に係るファイル名を制御部１が受け付けている。
【００４６】
使用者は、操作部３を操作して、カーソルを上下させることができる。図４（ｂ）は、カーソルを移動させ、ｍｕｓｉｃ４を選択した状態を示している。同様にこの状態において、操作部３で再生の操作を行った場合、カーソルで選択されているｍｕｓｉｃ４の再生が行われる。
【００４７】
特に、ｍｕｓｉｃ１をカーソルで選択し、再生する場合の制御動作を説明する。ｍｕｓｉｃ１が選択された状態において、操作部３から再生の指示を受けた場合、制御部１は、ｍｕｓｉｃ１に係るファイルを読み出すように読出部２を制御する。つまり、制御部１は、ｍｕｓｉｃ１が記録されている先頭アドレスＰ１を、ファイル管理情報から検知し、読出部２がポインタＰ１からファイル１を読み出すように制御する。次いで、制御部１は、読み出したファイル１を復調回路１２が復調し、バッファメモリ１３に書き込むように制御する。次いで、ファイル１のデータが所定量以上バッファメモリ１３に蓄積された場合、バッファメモリ１３に書き込まれたファイル１のデータを順次ＭＰ３／ＷＭＡデコーダ１４が伸張し、伸張したファイル１を、Ｄ／Ａ変換部１５がアナログ信号に変換し、変換したアナログ信号を音声出力端子１６に順次出力するように制御する。
【００４８】
図５は、ＯＳＤ表示された一覧メニューにおいて、画像ファイルを選択した状態を示す模式図である。再生装置の使用者は、図５（ａ）に示すように操作部３を操作して、画像ファイルに係るファイル名を選択する実線で示したカーソルを上下に移動させて、画像ファイルを選択することができる。図５（ｂ）は、図５（ａ）に示した状態から、カーソルを下側に移動させ、ｐｉｃｔｕｒｅ３を選択した状態を示している。この状態において、使用者が操作部３を用いて再生の操作を行った場合、ｐｉｃｔｕｒｅ３が再生される。
【００４９】
画像ファイルの再生動作を説明する。ｐｉｃｔｕｒｅ３を選択し、操作部３が再生の操作を受け付けた場合、制御部１は、Ｐｉｃｔｕｒｅ３のファイルを読出部２が読み出すように制御する。具体的には、制御部１は、ファイル管理情報からファイル名ｐｉｃｔｕｒｅ３に係るファイルが記録されている先頭アドレスを示すポインタＰ９を検知し、ｐｉｃｔｒｅ３に係るファイルを読出部２が読み出すように制御する。次いで、制御部１は、読み出したｐｉｃｔｕｒｅ３のデータを復調回路１２が復調し、一旦バッファメモリ１３に蓄積するように制御する。次いで、制御部１は、蓄積されたデータをＪＰＥＧデコーダ１７が伸張し、画像出力処理部１８が画像出力するための処理を行い、処理を終えたデータを画像出力端子１９に出力するように制御する。図６は、再生され、モニタ装置５に表示されたｐｉｃｔｕｒｅ３を模式的に示す図である。なお、図６に示すように画像ファイルが再生された状態においても、音声ファイルの再生は継続して行われている。
【００５０】
本発明にあっては、２以上の複数の音声ファイル形式夫々に係るファイル名がまとめて一覧メニューに表示されるため、異なる複数の音声ファイル形式同士の異同を意識する必要はなく、ＯＳＤ表示された一つの一覧メニューから音声ファイルを選択し、再生することができる。
【００５１】
また、音声ファイル形式に係るファイル名と、画像ファイル形式に係るファイル名とが左右に区分けされているため、音声ファイルと画像ファイルとを一目で識別することができる。この場合、異なる音声ファイル形式に係るファイル名については、音声ファイルとしてまとめて左側の枠内に表示されているため、音声ファイル形式同士の異同を意識する必要は無く、音声ファイルと画像ファイルとの異同のみを識別することができる。
【００５２】
更に、異なるファイル形式を有する音声ファイル夫々は色分けされているため、必要な場合、一覧メニューに表示されているファイル名の色を識別することにより、ファイル形式の異同を判別することができる。
【００５３】
更にまた、音声ファイルと、画像ファイルとが左右に区分けされた一覧メニューに表示されており、音声ファイル選択用のカーソルと画像ファイル選択用のカーソルを用いて、夫々を選択し、再生することができるため、音声ファイルを再生した後、続けて画像ファイルを再生することができる。つまり、一覧メニューの再表示、又は一覧メニューの切り換えを行うことなく続けて音声ファイルと画像ファイルとを再生することができる。
【００５４】
なお、実施の形態にあっては、同一のフォルダ又は記録媒体の最上位の階層に記録されている複数の音声／画像ファイル形式に係るファイル名の一覧を生成しているが、これに限るものではない。つまり、異なるフォルダに複数の音声／画像ファイルが記録されている場合、ステップＳ１で読み出したファイル管理情報に基づいて、更に異なるフォルダ夫々のファイル管理情報を記録媒体から読み出し、読み出した管理情報によって、異なるフォルダに記録されている複数の音声／画像ファイル形式に係るファイル名の一覧を生成しても良い。この場合、記録媒体の異なるフォルダに記録されている複数の音声／画像ファイル形式に係るファイル名を一覧として生成するため、再生装置の使用者は一目で記録媒体に記録されている音声／画像ファイル形式に係るファイル名を認識することができる。
【００５５】
また、実施の形態にあっては、音声ファイル及び画像ファイル形式夫々を記憶している記録媒体を再生する場合について示したが、これに限るものではない。複数の音声ファイル形式のファイルを記憶している記録媒体を再生する場合、複数の音声ファイル形式に係るファイル名を有する一覧メニューを生成すると良い。同様に、複数の画像ファイル形式に係るファイル名を記憶している記録媒体を再生する場合、複数の画像ファイル形式に係るファイル名を有する一覧メニューを生成すると良い。
【００５６】
更に、実施の形態にあっては、１種類の画像ファイル形式に係るファイル名を有する一覧メニューを生成しているが、これに限るものではなく、複数の画像ファイル形式に係るファイル名をまとめて一覧メニューに表示することもできる。この場合、異なる画像ファイル形式夫々についてファイル名を色分けすると良い。
【００５７】
更にまた、本実施の形態にあっては、音声ファイル形式に係るファイル名と画像ファイル形式に係るファイル名とを区分けした一覧メニューを生成しているがこれに限るものではなく、音声及び画像ファイル形式夫々に係るファイル名を区分けせずにまとめて一覧メニューに表示しても良い。この場合、音声ファイル形式に係るファイル名と画像ファイル形式に係るファイル名とを色分けすると良い。
【００５８】
更にまた、本実施の形態にあっては、音声ファイルと画像ファイルとを左右に区分けして表示しているが、これに限るものではなく、上下に区分けしても良い。
【００５９】
更にまた、本実施の形態にあっては、音声ファイルに係るファイル名と画像ファイルに係るファイル名とを区分けし、異なる音声ファイル夫々に係るファイル名を色分けしているが、これに限るものではなく、異なる音声／画像ファイル形式夫々に係るファイル名を区分けした一覧メニューを生成するものであっても良い。この場合、異なる音声／画像ファイル形式夫々を区分けによって認識することができる。
【００６０】
更にまた、本実施の形態にあっては、一覧メニューに音声／画像ファイルを表示しているが、これに限らず、音声／画像ファイルに係るフォルダを一覧メニューに表示するように構成しても良い。つまり、複数の音声又は画像ファイル形式のいずれかに一つに係るファイルを有しているフォルダを一覧メニューに表示するように構成し、例えば画像ファイル形式に係るフォルダと、音声ファイル形式に係るフォルダとを区分けして一覧メニュー表示しても良い。
【００６１】
更にまた、必要に応じて、一覧メニューに表示する音声／画像ファイルの内容を示す画像、例えば小画像を、前記音声／画像ファイルのファイル名と合わせて一覧メニューに表示しても良い。ファイル名に係るファイルの内容を示す画像を記録媒体から読み出し、該画像を有する一覧メニューを生成する手段を更に備えた場合、生成手段は、一覧メニューに表示したファイル名に係るファイルの内容を示す画像を一覧メニューに表示することができる。
【００６２】
図７は、ＯＳＤ表示された一覧メニューに、ファイルの内容を示す小画像を表示させた一例を模式的に示す図である。図７においては、ｐｉｃｔｕｒｅ１乃至ｐｉｃｔｕｒｅ３夫々の内容を示す画像、例えば小画像６ａ、６ｂ、６ｃが表示されている。再生装置の使用者は、一覧メニューに表示された小画像６ａ、６ｂ、６ｃによって、画像ファイルの内容を視覚的に確認した上で再生することができる。
【００６３】
この場合、音声／画像ファイルの内容を視覚的に確認することができるため、記録媒体に記録されているファイルの内容をより容易に確認することができる。なお、小画像の表示は、画像ファイルの内容を示すものに限らず、音声ファイルの内容をイメージとして表示する小画像を音声ファイルが含んでいる場合、前記小画像を音声ファイルのファイル名と共に表示しても良い。
【００６４】
更にまた、判別する音声ファイル形式は、実施の形態で示したものに限らず、ＷＡＶＥ、ＭＩＤＩ形式等その他のファイル形式であっても良い。同様に、判別する画像ファイル形式は、実施の形態に示したものに限らず、ＢＭＰ、ＴＩＦその他の画像ファイル形式であっても良い。
【００６５】
更にまた、実施の形態にあっては、音声及び画像データ夫々を音声出力端子及び画像出力端子から外付のモニタ装置に出力しているが、これに限るものではない。つまり、液晶ディスプレイ及びスピーカーを一体的に再生装置が備えている場合において、音声データをスピーカーに、画像データを液晶ディスプレイに出力するものであっても良い。
【００６６】
なお、音声／画像ファイル形式は、音声ファイル形式又は画像ファイル形式、並びに音声ファイル形式及び画像ファイル形式夫々を意味している。従って、例えば、音声／画像ファイル形式夫々に係るファイル名をまとめた一覧メニューを生成することは、音声ファイル形式又は画像ファイル形式夫々に係るファイル名をまとめた一覧メニューを生成すること、音声及び画像ファイル形式夫々に係るファイル名をまとめた一覧メニューを生成すること夫々を意味している。
【図面の簡単な説明】
【００６７】
【図１】本発明に係る再生装置の構成を模式的に示すブロック図である。
【図２】制御部が行う制御手順を示したフローチャートである。
【図３】記録媒体に記録されているファイル、及びファイル管理情報を模式的に示す概念図である。
【図４】ＯＳＤ表示された一覧メニューの一例を示す模式図である。
【図５】ＯＳＤ表示された一覧メニューにおいて、画像ファイルを選択した状態を示す模式図である。
【図６】再生され、モニタ装置に表示されたｐｉｃｔｕｒｅ３を模式的に示す図である。
【図７】ＯＳＤ表示された一覧メニューに、ファイルの内容を示す小画像を表示させた一例を模式的に示す図である。
【図８】従来の再生装置においてＯＳＤ表示された一覧メニューの一例を示す模式図である。
【符号の説明】
【００６８】
１  制御部
２  読出部
３  操作部
４  記録媒体
５  モニタ装置
１０  ＲＯＭ
１１  ＲＡＭ
１２  復調回路
１３  バッファメモリ
１４  ＭＰ３／ＷＭＡデコーダ
１５  Ｄ／Ａ変換部
１６  音声出力端子
１７  ＪＰＥＧデコーダ
１８  画像出力処理部
１９  画像出力端子
【図１】
2005251340.tif 000003
【図２】
2005251340.tif 000004
【図３】
2005251340.tif 000005
【図４】
2005251340.tif 000006
【図５】
2005251340.tif 000007
【図６】
2005251340.tif 000008
【図７】
2005251340.tif 000009
【図８】
2005251340.tif 000010